(57)【要約】【課題】カプセル自動販売機において、予め設定した例えば「大当たり」カプセルのときには、購入者がカプセルを手にとり開ける前に先ず「大当たり」を知らせることができるようにする。また、カプセルを選択する回転体を回動させる電動モーターのメンテナンスを容易に行なえるようにする。【解決手段】無作為に選択されたカプセルが所定のカプセルか否かを検知する検知手段と、検知手段により所定のカプセルが検知されたことを知らせる報知手段を備える。また、回転体を回動させる電動モーターを、カプセルを収容するケース内に着脱を可能に支持する支持部を有したケースの底板を備える。【選択図】図１
2006268247.tif 000002
【特許請求の範囲】
【請求項１】
商品が入った複数個のカプセルを収容するケースと、
このケースの底部に回動を可能に設置され、ケース内のカプセルを無作為に受け入れる複数個の受入口を有した回転体と、
回転体を回動させる回動手段と、
回転体の下方に位置し、回転体の回動により合致した受入口のカプセルを受け入れる払出口を一側に有し他側にカプセルの取出口を有した搬送路と、
搬送路を通るカプセルの内の所定のカプセルを検知する検知手段と、
検知手段により所定のカプセルが検知されたことを知らせる報知手段と
を備えている、ことを特徴とするカプセル自動販売機。
【請求項２】
検知手段が、電磁波を発信し所定のカプセルに入った媒体との反応によって所定のカプセルを検知する、
ことを特徴とする請求項１記載のカプセル自動販売機。
【請求項３】
搬送路が、払出口に落ちたカプセルに正対する壁面を有した曲がり部を備え、
この壁面に検知手段が設置されている、
ことを特徴とする請求項１または２記載のカプセル自動販売機。
【請求項４】
報知手段が、音声を出力する発音手段を備えている、
ことを特徴とする請求項１から３までのいずれかに記載のカプセル自動販売機。
【請求項５】
報知手段が、光を発する発光手段を備えている、
ことを特徴とする請求項１から４までのいずれかに記載のカプセル自動販売機。
【請求項６】
発光手段が、ケースの上面に取り付けられた点滅ランプを備えている、
ことを特徴とする請求項５記載のカプセル自動販売機。
【請求項７】
商品が入った複数個のカプセルを収容するケースと、
このケースの底部に回動を可能に設置され、ケース内のカプセルを無作為に受け入れる複数個の受入口を有した回転体と、
回転体を、回動駆動を自在に支持する電動モーターと、
回転体の回動により合致した受入口のカプセルを受け入れる払出口を一側に有し他側にカプセルの取出口を有した搬送路と、
電動モーターを該ケース内に着脱を可能に支持するモーター支持部および該払出口が形成されたケースの底板と
を備えている、ことを特徴とするカプセル自動販売機。
【請求項８】
ケースが、その上部に開閉自在な蓋を有したカプセル補充用の開口を備え、
電動モーターが、回転体に連結する出力軸を開口に向けて延ばし位置付けられ、
モーター支持部が、電動モーターの本体部を受け入れ支持する凹部を備えている、
ことを特徴とする請求項７記載のカプセル自動販売機。
【発明の詳細な説明】
【技術分野】
【０００１】
本発明は、商品を入れたカプセルの自動販売機に関する。
【背景技術】
【０００２】
景品など商品の入った多数のカプセルがケースに収容され、金銭の投入など所定の操作が行われると、カプセルが無作為に選択され取出口に払出され、投入した金額以上の高価な商品などの「大当たり」を楽しむことができる、カプセル自動販売機がある（例えば、特許文献１参照）。
【０００３】
このカプセル自動販売機においてカプセルを無作為に払出す機構の代表例は、多数のカプセルを収容するケースの下部に回転体を備え、この回転体はカプセルが嵌まり込む受入口を複数個備え、回転体を回転させると、回転体の下方に位置した払出口に合致した受入口のカプセルが搬送路に落とされ取出口に払出される。
【特許文献１】特開平９−２８２５３８号公報（第１図）
【発明の開示】
【発明が解決しようとする課題】
【０００４】
上述したとおりの形態の従来のカプセル自動販売機には、しかしながら次のとおりの課題がある。
【０００５】
（１）カプセルは「大当たり」「外れ」のスリルを楽しむことができるように、無作為に選択されるとともに不透明の例えばプラスチックによって形成されている。したがって、「大当たり」「外れ」は取出口に払出されたカプセルを購入者が手にとり開けるまで分からない。そこで、カプセルを開ける前に少なくとも選択されたカプセルが先ず例えば「大当たり」であることを購入者に知らせ、購入者が期待をもって取出口に払出されたカプセルを開けるようにすれば、アミューズメント性をさらに高めることができるので、このようなカプセル自動販売機の開発が望まれている。
【０００６】
（２）カプセルを選択する回転体を回動させる手段としては、手動操作のつまみによるもの、あるいは電動モーターによるものなどが実用されている。電動モーターによるものは回転体を「スタートボタン」で容易に操作できるのでアミューズメント性を高めることができる。この電動モーターは、保守・点検などのメンテナンスが要らないように配慮されカプセル自動販売機の内部、例えば基台の中に設置されている。電動モーターに万一作動不具合などの故障が発生した場合は、販売機を設置現場であるいは工場に持ち込んで、分解し、点検・修理を行う。したがってこのような場合には、多くの休止時間が発生し、販売稼働率が悪くなり、また購入者の楽しみを奪ってしまうので、電動モーターの不具合に対しメンテナンスを容易に行なえるカプセル自動販売機の開発が望まれている。
【０００７】
本発明は上記事実に鑑みてなされたもので、第１の技術的課題は、無作為に払出されるカプセルのうち、予め設定した例えば「大当たり」カプセルのときには、購入者がカプセルを手にとり開ける前に先ず「大当たり」を知らせる手段を備えた、カプセル自動販売機を提供することである。
【０００８】
本発明の第２の技術的課題は、カプセルを無作為に選択するための回転体を回動させる電動モーターに万一作動不具合などの故障が発生した場合、その点検・修理などのメンテナンスを容易に行なうことができる、カプセル自動販売機を提供することである。
【課題を解決するための手段】
【０００９】
上記第１の技術的課題を解決するカプセル自動販売機として、請求項１記載の発明は、商品が入った複数個のカプセルを収容するケースと、このケースの底部に回動を可能に設置され、ケース内のカプセルを無作為に受け入れる複数個の受入口を有した回転体と、回転体を回動させる回動手段と、回転体の下方に位置し、回転体の回動により合致した受入口のカプセルを受け入れる払出口を一側に有し他側にカプセルの取出口を有した搬送路と、搬送路を通るカプセルの内の所定のカプセルを検知する検知手段と、検知手段により所定のカプセルが検知されたことを知らせる報知手段とを備えている、ことを特徴とするカプセル自動販売機である。
【００１０】
そして、予め設定したカプセル例えば「大当たり」カプセルであることを、取出口から払出すのに先立って先ず検知手段により検知し報知手段によって購入者に知らせる。
【００１１】
請求項２記載の発明は、請求項１記載のカプセル自動販売機において、検知手段は、電磁波を発信し所定のカプセルに入った媒体との反応によって所定のカプセルを検知する、ことを特徴とするカプセル自動販売機である。
【００１２】
そして、検知手段から発信した電波あるいは磁力などを所定のカプセルに入れた媒体に反応させ、所定のカプセルであることを取出口から払出すのに先立って検知する。
【００１３】
請求項３記載の発明は、請求項１または２記載のカプセル自動販売機において、搬送路は払出口に落ちたカプセルに正対する壁面を有した曲がり部を備え、この壁面に検知手段が設置されている、ことを特徴とするカプセル自動販売機である。
【００１４】
そして、搬送路の曲がり部においてカプセルの移動が減速するのを利用しこの部分において所定のカプセルか否かを検知する。
【００１５】
請求項４記載の発明は、請求項１から３までのいずれかに記載のカプセル自動販売機において、報知手段は音声を出力する発音手段を備えている、ことを特徴とするカプセル自動販売機である。
【００１６】
そして、所定のカプセルが選択されたときには例えば発音手段としてのスピーカーから「ファンファーレ音」のような音楽を鳴らす。
【００１７】
請求項５記載の発明は、請求項１から４までのいずれかに記載のカプセル自動販売機において、報知手段は光を発する発光手段を備えている、ことを特徴とするカプセル自動販売機である。
【００１８】
そして、所定のカプセルが選択されたときには例えば発光手段としてのランプを点灯させる。
【００１９】
請求項６記載の発明は、請求項５記載のカプセル自動販売機において、発光手段はケースの上面に取り付けられた点滅ランプを備えている、ことを特徴とするカプセル自動販売機である。
【００２０】
そして、カプセルの購入者などに見やすく注目されやすいケースの上面に発光手段としての点滅するランプを取り付ける。
【００２１】
上記第２の技術的課題を解決するカプセル自動販売機として、請求項７記載の発明は、商品が入った複数個のカプセルを収容するケースと、このケースの底部に回動を可能に設置され、ケース内のカプセルを無作為に受け入れる複数個の受入口を有した回転体と、回転体を、回動駆動を自在に支持する電動モーターと、回転体の回動により合致した受入口のカプセルを受け入れる払出口を一側に有し他側にカプセルの取出口を有した搬送路と、電動モーターを該ケース内に着脱を可能に支持するモーター支持部および該払出口が形成されたケースの底板とを備えている、ことを特徴とするカプセル自動販売機である。
【００２２】
そして、電動モーターを、カプセルが収容されるケース内の底板のモーター支持部に、ケース内に着脱を自在に取り付ける。
【００２３】
請求項８記載の発明は、請求項７記載のカプセル自動販売機において、ケースは、その上部に開閉自在な蓋を有したカプセル補充用の開口を備え、電動モーターは、回転体に連結する出力軸を開口に向けて延ばし位置付けられ、モーター支持部は、電動モーターの本体部を受け入れ支持する凹部を備えている、ことを特徴とするカプセル自動販売機である。
【００２４】
そして、電動モーターの着脱は、ケース上部のカプセル補充用の開口の蓋を開け、開口を通して行う。
【発明の効果】
【００２５】
請求項１記載のカプセル自動販売機は、カプセルを取出口から払出すのに先立ってカプセルが例えば「大当たり」カプセルか否かを検知する検知手段と、「大当たり」カプセルのときにはそれを知らせる報知手段を備えている。したがって、購入者がカプセルを手にとり開ける前に「大当たり」であることを知らせることができる。
【００２６】
請求項２記載のカプセル自動販売機は、検知手段から発信した電波あるいは磁力がカプセルに入れたアンテナあるいは磁性体のような媒体に反応するか否かにより所定のカプセルか否かを検知する。したがって、所定のカプセルの設定および検知を容易に行なうことができる。
【００２７】
請求項３記載のカプセル自動販売機は、払出口に落ちたカプセルに正対する壁面を有した曲がり部を備えこの壁面に検知手段を設置したので、この部分で減速するカプセルを検知手段により所定のものか否か容易に確実に検知することができる。
【００２８】
請求項４記載のカプセル自動販売機は、報知手段が音声を出力する発音手段を備えているので、所定のカプセルが選択されたときには例えばスピーカーから「ファンファーレ音」のような音楽を鳴らしアミューズメント性を高めることができる。
【００２９】
請求項５記載のカプセル自動販売機は、報知手段が光を発する発光手段を備えているので所定のカプセルが選択されたときには例えばランプを点灯させアミューズメント性を高めることができる。
【００３０】
請求項６記載のカプセル自動販売機は、発光手段がカプセルの購入者などに見やすい注目されやすいケースの上面に取り付けた点滅するランプを備えているので、さらにアミューズメント性を高めることができる。
【００３１】
請求項７記載のカプセル自動販売機は、電動モーターをケース内に着脱を可能に支持するモーター支持部の形成されたケースの底板を備えているので、電動モーターに万一作動不具合などの故障が発生した場合、電動モーターをケース内において底板から着脱し、容易に点検・修理などのメンテナンスを行なえる。また、メンテナンスが容易であるのでメンテナンスフリーのような高価な電動モーターの必要がなく、販売機の製作コストを高くすることがない。
【００３２】
請求項８記載のカプセル自動販売機は、ケースの上部に開閉自在な蓋を有したカプセル補充用の開口を備え、モーター支持部は、電動モーターの本体部を受け入れ支持する凹部を備えているので、電動モーターの着脱は、ケース上部の蓋を開け開口を通して容易に行なうことができる。
【発明を実施するための最良の形態】
【００３３】
以下、本発明に従って構成されたカプセル自動販売機の一実施の形態について、添付図面を参照して、さらに詳細に説明する。
【００３４】
カプセル自動販売機の要部を分解状態で示した斜視図である図１、およびカプセル自動販売機の全体斜視図である図２を参照して説明する。
【００３５】
全体を番号２で示すカプセル自動販売機は、商品の入った複数個のカプセルＫを収容するケース４と、このケース４の底部に回動を可能に設置され、ケース４内のカプセルを無作為に受け入れる複数個（４個）の受入口６ａを有した回転体６と、回転体６を回動させる回動手段としての電動モーター８と、回転体６の下方に位置し、回転体６の回動により合致した受入口６ａのカプセルを受け入れる払出口１０ａを一側に有し他側にカプセルの取出口１０ｂを有した搬送路１０と、搬送路１０を通るカプセルのうちの所定のカプセルを検知する検知手段１２と、検知手段１２により所定のカプセルが検知されたことを知らせる報知手段１４としての発音手段であるスピーカー１６および発光手段である点滅ランプ１８を備えている。
【００３６】
主として図２を参照して説明する。カプセル自動販売機２は上下に延びた直方体状に形成されている。上部を形成するケース４は、前後左右の周壁が透明なアクリル板によって収容したカプセルＫが外から見えるように形成されている。ケース４の上面は、その略全面が開閉自在な蓋２０を有した開口２２を備えている。蓋２０は、上方から被せられ閉じた状態で施錠を可能に形成されている。この開口２２からケース４内にカプセルＫが投入され収容される。
【００３７】
ケース４の下方は基台２４を形成している。基台２４はケース４を支持し、後に詳述する上記の搬送路１０ならびに操作のための手段および制御手段を含んでいる。カプセルの取出口１０ｂは基台２４の前面のパネル２４ａに開口している。
【００３８】
主として図１を参照して説明する。ケース４の底板２６は、電動モーター８を着脱可能に支持するモーター支持部２６ａおよび払出口１０ａを備えている。回転体６は、電動モーター８の上方に突出した出力軸８ａに取り付けられ支持されている。出力軸８ａはその軸線Ｘを鉛直方向に延ばし配設されている。
【００３９】
回転体６は、軸心Ｘを中心に円板状に形成され、その周縁に、周方向に等間隔でカプセルの受入口６ａを４個備えている。受入口６ａは、カプセルＫが１個自在に嵌りこむ大きさで、軸線Ｘ方向の下方に延びた円筒状に形成されている。
【００４０】
回転体６の周縁には、ケース４の内面に取り付けられ、カプセルＫが下方に落下するのを防止する仕切板２８（図２）が取り付けられている。
【００４１】
電動モーター８は、本体８ｂとしての、円筒状のモーター部８ｃおよび矩形フランジ状の減速機部８ｄを有し、減速機部８ｄから出力軸８ａが突出している。この減速機部８ｄによって例えば、毎分３０００回転のモーター回転が６００分の１に減速される。電動モーター８の出力軸８ａと回転体６は円柱状の継手３０によって連結されている。継手３０の一端側に出力軸８ａが挿入されビス３２によって固定されている。継手３０の他端面は、回転体６の下面に当接され、回転体６の反対面（上面）側から一対の穴６ｂを通したビス（図示は省略されている）により固定されている。
【００４２】
底板２６はケース４の内面に取り付けられる略矩形に形成され、この矩形の中央にモーター支持部２６ａとしての電動モーター８の本体８ｂの減速機部８ｄが嵌り込む矩形の凹部２６ｂおよび電動モーター８のモーター部８ｃを基台２４内に挿通させる丸穴２６ｃを備えている。底板２６は、矩形に開口した払出口１０ａを、回転体６を軸線Ｘ中心に回動させたときにその４個の受入口６ａが順次合致する位置に備えている。
【００４３】
凹部２６ｂに嵌め込まれた電動モーター８は、減速機部８ｄの４隅の取付穴８ｅそれぞれにビス（図示していない）が通され、底板２６に固定される。電動モーター８は着脱自在なコネクタ端子を有した電気配線により電源に接続されている（いずれも図示は省略されている）。
【００４４】
したがって、カプセル自動販売機２において電動モーター８を取り外すには、ケース４の開口２２の蓋２０を開け、先ず回転体６を電動モーター８の出力軸８ａの継手３０に取り付けている２個のビスを外して取り外し、次に底板２６の凹状のモーター支持部２６ａに取り付けられている電動モーター８を、それを取り付けている４個のビスを外して抜き出し、電気配線のコネクタを外して、開口２２を通し取り出す。電動モーター８の取り付けはこの逆の手順で行えばよい。
【００４５】
図１および図２とともに搬送路１０の詳細斜視図である図３、主として図３を参照して説明を続ける。搬送路１０は、払出口１０ａから取出口１０ｂに向けて、途中に略直角の曲がり部１０ｃを備え、矩形断面の溝状に形成されている。搬送路１０は、その底面が払出口１０ａの側から取出口１０ｂに向けて徐々に下方に傾斜しており、払出口１０ａに落ちたカプセルＫは自重により取出口１０ｂに送られる。
【００４６】
曲がり部１０ｃは払出口１０ａに落ちたカプセルＫに正対する壁面１０ｄを有している。壁面１０ｄの搬送路１０の裏側には検知手段である検知センサー１２が設置されている。検知センサー１２は、電磁波として電波を発信し、所定の例えば「大当たり」カプセルに入れた媒体としてのアンテナ（図示していない）に反応してその共振を受信し、所定のカプセルか否かを検知し、その信号を基台２４に設置した制御手段である制御基板３４に出力する。この検知センサー１２は周知のものでよいので、その詳細についての説明は省略する。
【００４７】
主として図１および図２を参照して説明する。検知センサー１２の出力は、制御基板３４を介し報知手段１４としての発音手段であるスピーカー１６および発光手段である点滅ランプ１８に接続されている。スピーカー１６は、基台２４の前面のパネル２４ａの取出口１０ｂの上側に備えられている。スピーカー１６には「ファンファーレ音声基板」が介在され、制御基板３４から信号が入力されると、所定の時間「ファンファーレ音」が鳴らされる。点滅ランプ１８はケース４の上面を規定する蓋２２の上面に取り付けられており、制御基板３４から信号が入力されると所定の時間、点滅点灯される。
【００４８】
基台２４のパネル２４ａには、スピーカー１６の横に並んで金銭投入口３６が備えられ、スピーカー１６上方には電動モーター８を回動操作するスタートボタンスイッチ３８が、また金銭投入口３６の上方には電源表示ランプ４０およびエラー表示ランプ４２がそれぞれ備えられている。金銭投入口３６は所定の金額の金銭が投入されたか否かを識別する金銭識別機を備えている。スタートボタンスイッチ３８は、所定の金額が投入されるとスタートボタンに内蔵したランプが点滅し、この状態でスタートボタンを押すと電動モーター８が作動し、回転体６が所定の時間回動する。
【００４９】
図１〜図３とともにカプセル自動販売機２の動作手順の概要を示すフローチャートである図４、主として図４を参照して、カプセル自動販売機２の動作手順について説明する。
【００５０】
ステップＳ１において、金銭投入口３６に所定の金額の金銭が入ったか否かが、金銭識別機によって判定され、投入されていれば次のステップＳ２に進み、投入されていない場合はステップＳ１に戻る。
【００５１】
ステップＳ２において、スタートボタン３８に内蔵したランプが点滅し次のステップＳ３に進む。
【００５２】
ステップＳ３において、スタートボタン３８が押されたか否か判定され、押された場合はステップＳ５に進む。スタートボタン３８が押されていない状態のときはステップＳ４に進む。ステップＳ４においては、ランプが点滅してから所定の時間（例えば６０秒）経過したか否かが判定され、所定の時間経過しているときにはステップＳ５に進み、経過していないときにはステップＳ３に戻る。
【００５３】
ステップＳ５において、スタートボタン３８のランプを消灯し、電動モーター８をＯＮにし、回転体６を回転させる。回転体６の４個の受入口６ａのうち払出口１０ａに合致した受入口６ａから払出口１０ａにカプセルＫが落下し、この払出しが払出検知スイッチ（図示していない）により検知されると電動モーター８の回転は停止しステップＳ６に進む。
【００５４】
ステップＳ６において、搬送路１０に払い出されたカプセルＫが、検知手段の検知センサー１２によって所定の例えば「大当たり」カプセルか否かが検知される。「大当たり」が検知されたときにはステップＳ７に進み、「大当たり」でない場合は「エンド」に進み動作が終了する。
【００５５】
ステップＳ７において、報知手段１４のスピーカー１６から「ファンファーレ音」が鳴らされ、また点滅ランプ１８が点滅点灯される。そして所定の時間（例えば１０秒）が経過すると報知手段１４の作動は停止され、「エンド」に進み動作が終了する。
【００５６】
上記ステップＳ６において、払出検知スイッチによりカプセルの払出しが検知されない場合、例えばケース４内にカプセルＫが無くなった場合、あるいはカプセルＫが回転体６の受入口６ａと搬送路１０の払出口１０ａの部分に詰まった場合、のようなときにはエラーランプ４２が点灯され、カプセルＫの補充、あるいは点検が必要なことが知らされる。
【００５７】
上述したとおりのカプセル自動販売機２の作用・効果について説明する。
【００５８】
カプセル自動販売機２は、カプセルを取出口１０ｂから払出すのに先立って、カプセルが例えば「大当たり」カプセルか否かを検知する検知手段１２を備え、「大当たり」カプセルのときにはそれを知らせる報知手段１４を備えている。したがって、購入者がカプセルを手にとり開ける前に先ず「大当たり」であることを知らせる、カプセル自動販売機を提供することができる。
【００５９】
また、カプセル自動販売機２は、回転体６を回動駆動自在に支持する電動モーター８を着脱可能に支持するモーター支持部２６ａの形成されたケースの底板２６を備えている。したがって、電動モーター８をケース４内において底板２６から着脱することにより、容易に電動モーター８のメンテナンスが行なえる。また、メンテナンスが容易であるのでメンテナンスフリーのような高価な電動モーターの必要がないので、販売機の製作コストを高くすることがない。
【００６０】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００６１】
本発明の実施の形態においては、検知手段１２によって検知する所定のカプセルとして、「大当たり」のカプセルを設定したが、所定のカプセルとしては「外れ」「特等、１等、２等など複数種」のように、アミューズメント性を持たせ適宜に変えることができることは言うまでもない。
【００６２】
本発明の実施の形態においては、回転体６を回動させる手段として電動モーター８が用いられているが、回転体を手動ノブの操作により手動で回動させるようにし、選択されたカプセルを検知手段によって所定のカプセルか否かを検知し、報知手段によって知らせるようにしてもよい。
【００６３】
本発明の実施の形態においては、検知手段１２は電波を発信しその共振の有無によりカプセルが所定のものか否かを検知したが、例えば磁力線を利用し所定のカプセルに入れた磁性体との反応により検知してもよい。
【００６４】
本発明の実施の形態においては、発音手段としてのスピーカー１６から「ファンファーレ音」を鳴らしたが、音声としては種々の「楽曲」例えば「歌」のようなものでもよい。
【００６５】
本発明の実施の形態においては、発光手段として点滅ランプ１８が用いられているが、発光手段としては他の適宜の手段、例えば「色付きランプ」あるいは「発光体」などであってもよい。
【図面の簡単な説明】
【００６６】
【図１】本発明に係るカプセル自動販売機の一実施の形態の構成の要部を分解状態で示した斜視図。
【図２】図１に示すカプセル自動販売機の全体斜視図。
【図３】図１に示す搬送路の詳細斜視図。
【図４】本発明に係るカプセル自動販売機の動作手順の概要を示すフローチャート。
【符号の説明】
【００６７】
２：カプセル自動販売機
６：回転体
６ａ：受入口
８：電動モーター（回動手段）
１０：搬送路
１０ａ：払出口
１０ｂ：取出口
１２：検知センサー（検知手段）
１４：報知手段
１６：スピーカー（発音手段）
１８：点滅ランプ（発光手段）
２６：底板
２６ａ：モーター支持部
Ｋ：カプセル
【図１】
2006268247.tif 000003
【図２】
2006268247.tif 000004
【図３】
2006268247.tif 000005
【図４】
2006268247.tif 000006